(57)【要約】【課題】  細かい文字や図形に対応することができ、しかも下地となる素材の色が暗色系であっても、明るい文字や図形を提供することができる布製物又は皮製物の印刷方法及びそれにより得られた布製物又は皮製物を提供すること。【解決手段】  布製物又は皮製物本体１１上に、スクリーン印刷用の版１２及びスキージ１３を用いて、下地用インク１４をスクリーン印刷により印刷する。下地用インク層１５上に、スクリーン印刷用の版１２及びスキージ１３を用いて、第１インク１６をスクリーン印刷により印刷する。第１インク層１７上に、スクリーン印刷用の版１２及びスキージ１３を用いて、第２インク１８をスクリーン印刷により印刷する。【選択図】  図４ 
2005212451.tif 000002
【特許請求の範囲】
【請求項１】
被印刷物上に下地用インクを印刷して前記下地用インクを乾燥させて印刷領域を平坦にする工程と、前記印刷領域上に第１インクを印刷して前記第１インクを乾燥させる工程と、前記第１インク上に透明の第２インクを印刷して前記第２インクを乾燥させる工程と、を具備することを特徴とする布製物又は皮製物の印刷方法。
【請求項２】
前記下地用インクがプラスチゾルインクであり、前記第１インクがラメと前記プラスチゾルインクとを混合したインクであり、前記第２インクが透明のプラスチゾルインクであることを特徴とする請求項１記載の布製物又は皮製物の印刷方法。
【請求項３】
前記下地用インクが蓄光顔料を含むことを特徴とする請求項１又は請求項２記載の布製物又は皮製物の印刷方法。
【請求項４】
前記乾燥は、約１６０℃で約３分から約５分の間で加熱乾燥することにより行うことを特徴とする請求項１から請求項３のいずれかに記載の布製物又は皮製物の印刷方法。
【請求項５】
前記下地用インク及び前記第１インクの乾燥は、加熱乾燥後にインク部分を冷却することを特徴とする請求項４記載の布製物又は皮製物の印刷方法。
【請求項６】
前記下地用インクの印刷は約８０メッシュの版を用いたスクリーン印刷で行い、前記第１インクの印刷は約３６メッシュの版を用いたスクリーン印刷で行い、前記第２インクの印刷は約８０メッシュの版を用いたスクリーン印刷で行うことを特徴とする請求項１から請求項５のいずれかに記載の布製物又は皮製物の印刷方法。
【請求項７】
被印刷物上に設けられており、下地用インクを印刷してなる下地用インク層と、前記下地層上に設けられており、第１インクを印刷してなる第１インク層と、前記第１インク層上に設けられており、透明の第２インクを印刷してなる前記第２インク層と、を具備することを特徴とする布製物又は皮製物。
【請求項８】
前記被印刷物は、人が身につける装身具であることを特徴とする請求項８記載の布製物又は皮製物。
【発明の詳細な説明】
【技術分野】
【０００１】
本発明は、布製物又は皮製物の印刷方法及びそれにより得られた布製物又は皮製物に関する。
【背景技術】
【０００２】
従来、Ｔシャツなどの布製物に文字や図形を施す場合、特に、装飾性を向上させるために、キラキラと光る文字や図形を施す場合には、例えばラメフィルムを所望の文字や図形に切り取り、その切り取ったものをＴシャツ素材に縫い付けていた。
【発明の開示】
【発明が解決しようとする課題】
【０００３】
しかしながら、このような方法では、ラメフィルムを切り取ってからそれを縫い付けているので、細かい文字や図形に対応することができない。また、下地となる素材の色が暗色系の場合には、文字や図形が暗くなってしまい、所望の色を出すことができないという問題がある。
【０００４】
本発明はかかる点に鑑みてなされたものであり、細かい文字や図形に対応することができ、しかも下地となる素材の色が暗色系であっても、明るくかつ美しい文字や図形を具現することができる布製物又は皮製物の印刷方法及びそれにより得られた布製物又は皮製物を提供することを目的とする。
【課題を解決するための手段】
【０００５】
本発明に係る布製物又は皮製物の印刷方法は、被印刷物上に下地用インクを印刷して前記下地用インクを乾燥させて印刷領域を平坦にする工程と、前記印刷領域上に第１インクを印刷して前記第１インクを乾燥させる工程と、前記第１インク上に透明の第２インクを印刷して前記第２インクを乾燥させる工程と、を具備することを特徴とする。
【０００６】
この方法によれば、細かい文字や図形に対応することができ、しかも下地となる素材の色が暗色系であっても、明るい文字や図形が宝石のように輝き、美しい印刷物を提供することができる。
【０００７】
本発明の布製物又は皮製物の印刷方法によれば、前記下地用インクがプラスチゾルインクであり、前記第１インクがラメと前記プラスチゾルインクとを混合したインクであり、前記第２インクが透明のプラスチゾルインクであることが好ましい。
【０００８】
本発明の布製物又は皮製物の印刷方法によれば、前記下地用インクが蓄光顔料を含むことが好ましい。この方法によれば、蓄光顔料がラメを通して光を吸収し、暗いところでも印刷物を光らせることが可能となる。
【０００９】
本発明の布製物又は皮製物の印刷方法は、前記乾燥は、約１６０℃で約３分から約５分の間で加熱乾燥することにより行うことが好ましい。
【００１０】
本発明の布製物又は皮製物の印刷方法は、前記下地用インク及び前記第１インクの乾燥は、加熱乾燥後にインク部分を冷却することが好ましい。
【００１１】
本発明の布製物又は皮製物の印刷方法は、前記下地用インクの印刷は約８０メッシュの版を用いたスクリーン印刷で行い、前記第１インクの印刷は約３６メッシュの版を用いたスクリーン印刷で行い、前記第２インクの印刷は約８０メッシュの版を用いたスクリーン印刷で行うことが好ましい。
【００１２】
本発明の布製物又は皮製物は、被印刷物上に設けられており、下地用インクを印刷してなる下地用インク層と、前記下地層上に設けられており、第１インクを印刷してなる第１インク層と、前記第１インク層上に設けられており、透明の第２インクを印刷してなる前記第２インク層と、を具備することを特徴とする。
【００１３】
この構成によれば、細かい文字や図形に対応することができ、しかも下地となる素材の色が暗色系であっても、明るい文字や図形を宝石のように輝いた印刷物を提供することができる。
【００１４】
本発明の布製物又は皮製物によれば、前記被印刷物は、人が身に付ける装身具であることが好ましい。
【発明の効果】
【００１５】
本発明によれば、文字や図形は印刷により構成されるので、細かい文字や図形に対応することができる。また、インク層が複数のインク層で構成されているので、下地となる素材の色が暗色系であっても、明るい文字や図形が宝石のように輝く美しい印刷物を提供することができる。
【発明を実施するための最良の形態】
【００１６】
以下、本発明の実施の形態について、添付図面を参照して詳細に説明する。
図１は、本発明の実施の形態に係る布製物又は皮製物の印刷方法により印刷された布製物又は皮製物を示す図である。布製物又は皮製物であるＴシャツ１の前に印刷領域２が設けられている。図４は、本発明の実施の形態に係る布製物又は皮製物の印刷方法において第２インク層を形成する工程を説明するための図である。
【００１７】
図中１１は、被印刷物である布製物又は皮製物本体を示す。この布製物又は皮製物本体１１としては、例えば、壁掛けのような装飾品、あるいは、Ｔシャツ、ハンドバッグ、袋物類などの人が身につける装身具などを挙げることができる。なお、布を構成する繊維には特に限定がなく、布製品に用いられる繊維すべてを用いることができ、皮の素材にも限定がなく（オイル系のものは除く。）、天然皮革、合成皮革のいずれをも用いることができる。
【００１８】
布製物又は皮製物本体１１の上には、下地用インク層１５が形成されている。この下地層インク層１５は、例えばプラスチゾルインクで構成されている。この下地用インク層１５は、布製物又は皮製物本体１１の表面を平坦化する役割を果たす。これにより、第１インク層を均一な厚さで設けることが可能となる。必要に応じて、プラスチゾルインクに蓄光顔料を加えても良い。蓄光顔料を加えることにより、蓄光顔料が光を吸収して暗いところで後述する印刷物であるインク層を光らせることが可能となる。特に、下地用インク層１５の色を明るい色、例えば白色にすることにより、第１インク層がくっきりと見えるので好ましい。
【００１９】
下地用インク層１５上には、第１インク層１７が形成されている。この第１インク層１７は、プラスチゾルインクとラメとを混合してなるインクで構成されている。なお、プラスチゾルインクとラメとの混合割合については特に制限はない。
【００２０】
ラメとは、ポリエステル成型体やアルミニウム成型体に鏡面加工やレーザ彫刻を施して得られ、光を乱反射させる機能を有する粉末状インクのことである。
【００２１】
第１インク層１７上には、第２インク層１９が形成されている。この第２インク層１９は、透明なプラスチゾルインクで構成されている。透明なプラスチゾルインクとしては、光沢を有するインクを用いることができる。光沢を有するインクとしては、比較的強い光沢を有するものであれば特に制限はない。
【００２２】
下地用インク層１５、第１インク層１７及び第２インク層１９のそれぞれの厚さには、特に制限はないが、第１インク層１７の厚さを相対的に厚くすることが望ましい。この場合、第１インクを印刷する場合の版の膜厚とメッシュを変えることにより厚さを調節することができる。また、各インク層間で化学変化が起こることを防止するために、各インク層の材料は同種のインク材料を用いることが望ましい。
【００２３】
このように本実施の形態に係る布製物又は皮製物は、文字や図形は印刷により構成されるので、細かい文字や図形に対応することができる。また、インク層が複数のインク層で構成されているので、下地となる素材の色が暗色系であっても、明るい文字や図形を宝石のように輝いた印刷物を提供することができる。さらに、所望の文字や図形に切り取ったラメフィルムを素材に縫い付けるようなことがなく、全体的に柔らかい、人が身につけるものとして最適な装身具を提供できる。
【００２４】
次に、図２から図４を用いて、本発明の実施の形態に係る布製物又は皮製物の印刷方法について説明する。
【００２５】
まず、図２に示すように、布製物又は皮製物本体１１上に、スクリーン印刷用の版１２及びスキージ１３を用いて、下地用インク１４をスクリーン印刷により印刷する。この場合、スクリーン印刷用の版１２としては、例えば８０メッシュの版を用いる。これにより、例えば、膜厚約６０ミクロンの下地用インク層１５が形成される。
【００２６】
次いで、下地用インク層１５をスポットドライヤー又は熱風循環乾燥炉を用いて約１６０℃で約３分間加熱して硬化させる。その後、その上に印刷するインクの付着力を向上させるために、加熱した下地用インク層１５を冷風又は自然乾燥により冷却する。
【００２７】
次に、図３に示すように、下地用インク層１５上に、スクリーン印刷用の版１２及びスキージ１３を用いて、第１インク１６をスクリーン印刷により印刷する。この場合、スクリーン印刷用の版１２としては、下地用インク層に用いた版よりも例えば０．３Ｍ／Ｍ粗くして、例えば３６メッシュの版を用いる。これにより、膜厚約８０ミクロンの第１インク層１７が形成される。
【００２８】
次いで、第１インク層１７をスポットドライヤー又は熱風循環乾燥炉を用いて約１６０℃で約３分間加熱して硬化させる。その後、その上に印刷するインクの付着力を向上させるために、加熱した第１インク層１７を冷風又は自然乾燥により冷却する。
【００２９】
次に、図４に示すように、第１インク層１７上に、スクリーン印刷用の版１２及びスキージ１３を用いて、第２インク１８をスクリーン印刷により印刷する。この場合、スクリーン印刷用の版１２としては、第１インク層に用いた版よりも例えば０．１Ｍ／Ｍ細かくして、例えば８０メッシュの版を用いる。これにより、膜厚約１００ミクロンの第２インク層１９が形成される。
【００３０】
次いで、第２インク層１９をスポットドライヤー又は熱風循環乾燥炉を用いて約１６０℃で約５分間加熱して硬化させる。
【００３１】
このようにして、Ｔシャツ１の印刷領域２に、平坦化がなされる下地用インク層１５上にラメ色の発色をする第１インク層１７が設けられ、その上に表面がつるつるで透明である第２インク層１９が設けられる。この場合、下地用インク層１５は、第１インク層の発色を明るくする。また、第２インク層１９は、第１インク層の発色を良好にすると共に、インク層の耐久性を向上させることができる。
【００３２】
このように、本実施の形態においては、文字や図形は印刷により構成されるので、細かい文字や図形に対応することができる。また、インク層が複数のインク層で構成されているので、下地となる素材の色が暗色系であっても、明るい文字や図形を宝石のように輝いた印刷物を提供することができる。
【００３３】
本発明は上記実施の形態に限定されず、種々変形して実施することができる。例えば、各インクの成分、乾燥温度・乾燥時間については、一形態であり、本発明の範囲を逸脱しない限りにおいて適宜変更して実施することができる。
【図面の簡単な説明】
【００３４】
【図１】本発明の実施の形態に係る布製物又は皮製物の印刷方法により得られた布製物又は皮製物を示す図である。
【図２】本発明の実施の形態に係る布製物又は皮製物の印刷方法において下地用インク層を形成する工程を説明するための図である。
【図３】本発明の実施の形態に係る布製物又は皮製物の印刷方法において第１インク層を形成する工程を説明するための図である。
【図４】本発明の実施の形態に係る布製物又は皮製物の印刷方法において第２インク層を形成する工程を説明するための図である。
【符号の説明】
【００３５】
１１…布製物又は皮製物本体、１２…版、１３…スキージ、１４…下地用インク、
１５…下地用インク層、１６…第１インク、１７…第１インク層、
１８…第２インク、１９…第２インク層
【図１】
2005212451.tif 000003
【図２】
2005212451.tif 000004
【図３】
2005212451.tif 000005
【図４】
2005212451.tif 000006